(57)【要約】シャフトに連結するためのハブ（１１）と、ハブに軸支されるプーリ（１６）とを備え、プーリがベルト係合面を有し、クラッチ部（２２）と変化部（２３）と可変直径部分（２４）とを有するコンポジットスプリング（１２）を備え、コンポジットスプリングがハブとプーリの間に係合し、クラッチ部の直径がプーリとの負荷方向への摩擦係合により負荷方向に縮小可能であり、クラッチ部の摩擦係合が負荷軽減方向へプーリから徐々に解放可能であり、可変直径部分がトルク負荷に従って変化する直径を有し、ダンピング部材（７５）を介してハブに係合する慣性部材（７４）を備えるアイソレーティング・デカップラ。
2018533705.tif 000002
【特許請求の範囲】
【請求項１】
シャフトに連結するためのハブ（１１）と、
前記ハブに軸支されるプーリ（１６）とを備え、前記プーリはベルト係合面を有し、
クラッチ部（２２）と変化部（２３）と可変直径部分（２４）とを有するコンポジットスプリング（１２）を備え、
前記コンポジットスプリングは前記ハブと前記プーリの間に係合し、前記クラッチ部の直径は前記プーリとの負荷方向への摩擦係合により負荷方向に縮小可能であり、
前記クラッチ部の前記摩擦係合は負荷軽減方向へ前記プーリから徐々に解放可能であり、
前記可変直径部分はトルク負荷に従って変化する直径を有し、
ダンピング部材（７５）を介して前記ハブに係合する慣性部材（７４）を備える
アイソレーティング・デカップラ。
【請求項２】
前記ダンピング部材がエラストマ材料を備える請求項１に記載のアイソレーティング・デカップラ。
【請求項３】
前記プーリがブッシュにおいて前記ハブに軸支される請求項１に記載のアイソレーティング・デカップラ。
【請求項４】
前記クラッチ部が巻取り方向に負荷をかけられる請求項１に記載のアイソレーティング・デカップラ。
【請求項５】
前記コンポジットスプリングが捻りスプリングである請求項１に記載のアイソレーティング・デカップラ。
【請求項６】
前記プーリがマルチリブドベルト係合面を備える請求項１に記載のアイソレーティング・デカップラ。
【請求項７】
駆動シャフトに連結するためのハブと、
前記ハブに軸支されるプーリとを備え、前記プーリはベルト係合面を有し、
クラッチ部と変化部と可変直径部分とを有するコンポジットスプリングを備え、
前記コンポジットスプリングは前記ハブと前記プーリの間に係合し、前記クラッチ部は前記プーリとの負荷方向への摩擦係合により負荷方向に縮径可能であり、
前記クラッチ部の前記摩擦係合は負荷軽減方向へ前記プーリから徐々に解放可能であり、
前記可変直径部分はトルク負荷に従って変化する直径を有し、
エラストマのダンピング部材を介して前記ハブに係合する慣性部材を備える
アイソレーティング・デカップラ。
【発明の詳細な説明】
【技術分野】
【０００１】
本発明はアイソレーティング・デカップラに関し、特にクラッチ部と変化部と可変直径部分とを有するコンポジットスプリングを有するアイソレーティング・デカップラに関する。
【背景技術】
【０００２】
旅客用車両のアプリケーションに用いられるディーゼルエンジンは、燃費が良いという利点のため、増加している。さらに、ガソリンエンジンは燃費を改善するために圧縮比を増加させている。この結果、ディーゼルおよびガソリンエンジンのアクセサリ駆動システムは、エンジンにおける上述した変化による、クランクシャフトからのより大きな振動に打ち勝たなければならない。
【０００３】
増加したクランクシャフト振動に加えて、高い加減速比および高いオルタネータの慣性のため、エンジンアクセサリ駆動システムはしばしば、ベルトスリップによるベルトの軋み音を経験する。これは、ベルトの作動寿命も短縮させる。
【０００４】
クランクシャフトのアイソレータ・デカップラおよびオルタネータのデカップラ・アイソレータは、エンジン作動回転範囲における振動を除去するため、およびベルトの軋みを制御するため、高い角振動を伴うエンジンに広く用いられてきた。
【０００５】
この技術の代表は米国特許第７，５９１，３５７号明細書であり、これはエンジン駆動シャフトとサーペインベルトの間で回転動作を伝達するために設けられたデカップラを開示する。デカップラは、相対回転移動のために、駆動部材に対して同軸的に取付けられた回転駆動部材と回転被駆動部材を有する。デカップリングのアセンブリは、駆動部材と被駆動部材の間に延びる。デカップリングのアセンブリは、第１の結合モードで、駆動部材が被駆動部材に対して相対的に回転するとき、駆動および被駆動部材に選択的に連結する。デカップリング・アセンブリは、第１のモードとは逆の第２のモードで、駆動部材が被駆動部材に対して相対的に回転するとき、被駆動部材から駆動部材を解放する。捻り振動ダンパーが駆動および被駆動部材とともに回転して、エンジンにより生じる振動の一部を相殺するために取付けられる。
【０００６】
この技術の代表は２０１３年７月２９日に出願された米国特許出願第１３／９５２，８８６号であり、これは、スプリングキャリアに係合するとともに、捻りスプリングとは反対方向の負荷方向においてプーリに摩擦係合可能な捻りスプリングの径方向内側に配置されたラップスプリングを備え、ラップスプリングがハブに係合可能であり、これによりプーリとの摩擦係合が解放されるアイソレーティング・デカップラを開示する。
【０００７】
必要なものはクラッチ部と変化部と可変直径部分とを有するコンポジットスプリングを有するアイソレーティング・デカップラである。本発明はこの必要性に合致する。
【発明の概要】
【０００８】
本発明の主な特徴は、クラッチ部と変化部と可変直径部分とを有するコンポジットスプリングを有するアイソレーティング・デカップラである。
【０００９】
本発明の他の特徴は、本発明の次の記載と添付した図面により示され、明らかになる。
【００１０】
本発明は、シャフトに連結するためのハブと、ハブに軸支されるプーリとを備え、プーリがベルト係合面を有し、クラッチ部と変化部と可変直径部分とを有するコンポジットスプリングを備え、コンポジットスプリングがハブとプーリの間に係合し、クラッチ部の直径がプーリとの負荷方向への摩擦係合により負荷方向に縮小可能であり、クラッチ部の摩擦係合が負荷軽減方向へプーリから徐々に解放可能であり、可変直径部分がトルク負荷に従って変化する直径を有し、ダンピング部材を介してハブに係合する慣性部材を備えるアイソレーティング・デカップラである。
【図面の簡単な説明】
【００１１】
この明細書に組み込まれその一部を構成する添付図面は、本発明の好ましい実施形態を示し、説明とともに本発明の原理を説明するために用いられる。
【図１】正面斜視図である。
【図２】断面図である。
【図３】分解図である。
【図４】分解図である。
【図５】コンポジットスプリングの側面図である。
【図６】コンポジットスプリングの斜視図である。
【図７】エンドキャップの詳細図である。
【図８】図２の詳細図である。
【図９】プーリとクランクシャフトの間の角変位のプロット図である。
【発明を実施するための形態】
【００１２】
図１はテンショナの正面斜視図である。本発明装置１００は、バンパーストッパのない無限オーバーラン機能とともに、アイソレーション・減衰デカップリングの特性を有する。これは、スプリングキャリアによって結合されるラップスプリングと捻りスプリングの組合せの代りに、１つの多目的コンポジットスプリングを用いることによって達成される。
【００１３】
図２は断面図である。アイソレーティング・デカップラ１００は、クランクシャフト・ハブエンドキャップ１１０と、単一のコンポジットスプリング１２と、プーリ部材１３と、Ｏリング保持ワッシャ１４と、Ｏリング１５と、プーリ１６と、ブッシュ／ベアリング１７、１８と、ハブ１１とを備える。エンドキャップ１１０はネジ付き固定具１１１によってハブ１１に固定される。
【００１４】
本発明装置はさらに、ゴム製クランクシャフト振動ダンパー７５と慣性質量ダンパー７４を備える。ダンパー７５と質量７４はエンドキャップ１１０にプレスフィットされる。質量ダンパー７４は捻りスプリング１２の遮断部分と協働して作用し、クランクシャフトＣＳからプーリ１６に伝達されるクランクシャフトの角振動の振幅を減衰させる。本発明装置の遮断効果は、プーリ１６が例えばシリンダの点火によってクランクシャフト・ハブ１１よりも小さい角振動を経験するように、クランクシャフトの角振動の振幅を減少させる。これは延いてはパワーステアリング、エアコンディショナ、オルタネータのようなベルト駆動アクセサリにおける角振動を減少させ、これにより構成要素（図示せず）の寿命を延長させる。
【００１５】
図５はコンポジットスプリングの側面図である。コンポジットスプリング１２は、よりコンパクトな収容のために平面２１０であってもよい一端２１を備える。コンポジットスプリング１２はまた、プーリ部材１３の周りにラップスプリングクラッチ機能をもたらすクラッチ部２２を備える。コンポジットスプリングの変化部２３は、コイルの直径を変えることになるかもしれない。変化部２３は、負荷軽減状態においてクラッチ部２２からタブ２５へ直径が増加する螺旋形状を有する。変化部２３は単一のコイル、多重コイル、あるいはコイルの一部であってもよい。コンポジットスプリングの可変直径部分２４は、トルクの変化に応じて、スプリング（２１，２５）の２つの端部の角変位を通してその直径を変化させる遮断機能をもたらす。直径はトルク負荷に応じて増減するかもしれない。コンポジットスプリング１２の一端におけるタブ２５は、エンドキャップ１１０のスロット４１に係合するために用いられる。部分２４は負荷軽減状態において螺旋形状を有する。
【００１６】
図３と図４はそれぞれ分解図である。コンポジットスプリング１２はエンドキャップ１１０内のポケット１１２に位置する。コンポジットスプリング１２はタブ２５によってスロット４１に係合する。タブ２５はエンドキャップにおいてスロット４１に係合し、ハブ１１の時計方向の回転がタブ２５を把持して、これによりコンポジットスプリング１２がよりきつく巻きつき、これによりクラッチ部２２の直径を減少させる。タブ２５は、両方向において（すなわち時計方向ＣＷと反時計方向ＣＣＷ）コンポジットスプリング１２からエンドキャップ１１０へのトルクの伝達を許容する形状である限り、他の係合形状に置き換えることができる。
【００１７】
一方、コンポジットスプリング１２はＯリング保持ワッシャ１４に係合する平面２１０を有する。コンポジットスプリング１２のクラッチ部２２は、コンポジットスプリングの内面１２０の、プーリ１６の環状プーリ部１３に対する摩擦係合を介してプーリ１６に連結される。部材１３は、顕著に腐食することなく、あるいは表面摩擦特性が変化することなく、繰り返されるスリップに耐えるために、硬く、丈夫で耐摩耗性の材料を有する。部材１３は工具鋼であってもよいが、通常の合金鋼、複合的なベアリングスリーブ、ブッシュ材料、工学的な耐摩耗性ポリマーのような他の材料もまた適切である。プーリ１６は同じ材料から成形されてもよいが、これに替えて、耐摩耗性材料の部材１３を成形し、プレスフィット等によってプーリ１６に強固に組み付けることも、より安価である。プーリ１６は合成樹脂のような耐久性の比較的小さい材料から成形されてもよい。
【００１８】
コンポジットスプリング１２のクラッチ部２２の１以上のコイルが部材１３の周りに巻きつき、スプリング１２が周りにきつく巻き付けられるとき（長手方向におけるクランクシャフトの時計方向回転の通常の作用の場合のように）、コンポジットスプリングは部材１３を摩擦的に密に把持し、クランクシャフトのトルクの全てを部材１３に伝達し、プーリ１６に伝達し、エンジン（図示せず）におけるベルト駆動アクセサリに伝達する。
【００１９】
最小トルクでは、コンポジットスプリングの部分２４は自由状態位置５１にある。図８参照。クランクシャフトが回転して、コンポジットスプリングとプーリに増加レベルのトルクを付与するとき、コンポジットスプリング１２の可変直径部分２４はトルクを受けて捻れる。これは、可変直径部分のコイル径を僅かに縮小させる。負荷位置５２への変形を参照。最大トルクでは、可変直径部分２４の内径は、プーリの摩擦面すなわちプーリ部材１３の外径５３に干渉しない。クラッチ部２２は部材１３に摩擦係合した状態で示される。これにより、ハブ１１からエンドキャップ１１０とスプリング１２とプーリ１６へトルクが伝達する。
【００２０】
代替的な実施形態において、クラッチ部２２とプーリ部材１３の境界部分は、数百万回転に対して、比較的安定したオーバーラントルクリミット特性で耐えるために、滑りやすくされる。潤滑を必要とする実施形態では、コンポジットスプリングのポケット１１２の全体は潤滑油で満たされ、潤滑剤が時間とともに摩擦面から遠心力によって引き離されることが防止される。コンポジットスプリングのポケット１１２の全体が潤滑油によって満たされる実施形態は、潤滑油を保持するためにプーリ１６とエンドキャップ１１０の間にＯリングシール１５を備える。工業的な接着シールが、コンポジットスプリングのエンドタブ２５に係合するスロット４１を覆うためにエンドキャップ１１０の外面に用いられる。ワッシャ１４はＯリングポケットの一部を構成し、また、コンポジットスプリングとプーリの相対回転が生じる、スプリングの平面２１０とプーリの間の低摩擦境界面となる。
【００２１】
図７はエンドキャップの詳細図である。コンポジットスプリング端部２５はエンドキャップ１１０のスロット４１内に挿入される。スプリングコイルの回転方向においてコイルの周りに約９０°、１以上のタブ機構６３、６４がコンポジットスプリング１２の端部２１の動きをさらに規制する。エンドキャップピースとコンポジットスプリング端部２１の間の複数個所の接触は、クランクシャフトの中心軸、延いてはハブ１１の回転軸の周りにコンポジットスプリングにトルクを付与する。複数個所の接触は、十分な力でコンポジットスプリングの端部を把持し、ポケット１１２内でコンポジットスプリングを変位させる横方向の負荷を伝達することなく、適切にトルクを伝達する。
【００２２】
エンドキャップ１１０は通常のスタンピング方法を用いて比較的簡単に製造する。エンドキャップ１１０の内側リム６２はＯリングシールの一部を構成する。Ｏリング１５参照。一方、他の実施形態はＯリングシール１５の必要性がないかもしれない。
【００２３】
角振動の遮断に加えて、本発明はクランクシャフトからプーリへの迅速な減速作用の伝達を制限するデカップリング作用を特徴とする。クランクシャフト・ハブの迅速な減速の場合（例えば変速機シフトのとき）、プーリとベルト駆動システムの慣性は時計回りの慣性トルクをスリーブ１３とコンポジットスプリング１２に与える。このトルクは時計方向に伝達され、これにより、コンポジットスプリング１２は巻き戻され、クラッチ部２２は直径を僅かに拡大させる。これは、部材１３とコンポジットスプリングのクラッチ部２２の間の摩擦接触を緩める。
【００２４】
プーリのトルクが発達し、境界面が緩み続けると、オーバーラントルクの制限レベルは、部材１３がコンポジットスプリング１２の内側でスリップするよりも上の値に達する。図９はプーリとクランクシャフトの間の角変位をプロットしたもので、オーバーランの事象は強調されている。この特殊な例では、オーバーランの事象はエンジンの始動の工程の間の高いクランクシャフトの減速の結果である。プロットはエンジンの始動動作（時間軸で２．７５秒付近）と、約９秒間のアイドリングと、１２秒付近におけるエンジン停止を示している。オーバーランの事象が起きなかったら、アイドリングにおける角変位は約＋２２°であったであろう。３．２５秒付近でのオーバーランの事象は、スプリング１２を介してクランクシャフトにラッチバックする前に、プーリを約５０°だけクランクシャフトの前方へ回転させた。４−１２秒からの期間では、プーリとクランクシャフトはコンポジットスプリング１２を介して連結され、スプリングを介して伝達されるトルクは、約＋２２°の偏角を引き起こしている。５０°のオーバーラン（負の変位）とコンポジットスプリングの２２°の偏角（正の変位）の組合せは、約−２８°の偏角となる。エンジンの停止（時間軸において１２秒付近）において、トルクがコンポジットスプリングを介してクランクシャフトからプーリへ伝達されないので、コンポジットスプリングの２２°の偏角が除かれる。最終的な変位の値は、始動時に発生したオーバーランの５０°だけである。
【００２５】
コンポジットスプリングが負荷をかけられ、負荷を除去されると、約１０Ｎ＊ｍのダンピングが観察される。このダンピングの値は、スプリングが負荷をかけられていようとなかろうと、特定のコンポジットスプリングの変形での動的トルクの差として計算される。約１５Ｎ＊ｍのオーバーラントルクは、反時計方向のトルクが作用し、除去される、ヒステリシスループを伴って観察される。反時計方向のトルクの後、特定のオーバーラントルクにおいて、時計方向のトルクが再び作用し、変位が生じる。１００°の相対回転において、トルクの値は、反時計方向のトルクが作用しているときは約−４０Ｎ＊ｍであり、反時計方向のトルクが除去されているときは約−３０Ｎ＊ｍである。これがダンピングの１０Ｎ＊ｍの計算の根拠である。１０Ｎ＊ｍのダンピングは、旅客用車両のアプリケーションでは利点であるが、異なるエンジンの大きさやアクセサリベルト設計を含む他の輸送機器のアプリケーションでは他のダンピングの値が望ましいかもしれない。
【００２６】
スリップが始まるオーバーラントルク限界は比較的小さく、１０−２０Ｎ＊ｍであり、少量のオーバーラン慣性がデカップリング作用を引き起こす。部材１３がコンポジットスプリングクラッチ部２２内でスリップするので、オーバーラントルク限界は、プーリ１６に抵抗として作用する部材１３へコンポジットスプリングから摩擦によって伝達され続ける。プーリがクランクシャフトとは独立に回転するときに作用する抵抗トルクは、「減衰デカップリング」と呼ばれる。抵抗トルクはシステムの減衰をもたらし、早い反応から低レベルのトルク変化（例えば１０Ｎ＊ｍより小さい）までシステムを保護する。オーバーラントルク限界は計算され、コンポジットスプリングと部材が、種々のエンジンの適切なダンピングをもたらすためのオーバーラントルク限界を調節するために、特定のエンジントルク特性とプーリ形状のために設計される。
【００２７】
一例として、外径が７８．１ｍｍの部材１３と内径が７７．２ｍｍのコンポジットスプリングのクラッチ部２２の場合、部材１３の周囲にコンポジットスプリングを配置するために解消しなければならない０．９ｍｍの直径の干渉がある。部材１３にグリース潤滑油を用いて組み付けるとき、そのアセンブリは次のトルク特性を有する。すなわち、ハブ１１が固定状態に保持され、プーリ１６が時計方向に回転されるとき、これは、ハブ１１に対してデカップルし、回転するために約１５Ｎ＊ｍのオーバーラントルクを必要とする。いったんデカップルすると、プーリ１６は角変位に対して制限なく時計方向に回転し、１５Ｎ＊ｍのオーバーラントルクが相対回転のために継続的に要求される。このトルクの値は「オーバーラントルク限界」と呼ばれる。作用するトルクレベルがオーバーラントルク限界よりも低いとき、クラッチ部２２のトルクは、コンポジットスプリング１２を巻き戻して直径を大きくさせるのに十分なほど大きくはない。したがって、クラッチ部２２は部材１３の表面１２０の摩擦グリップによりロック状態に維持される。プーリ１６が固定状態に保持され、ハブ１１が時計方向に回転されるとき、クラッチ部２２がスリップしたり解放することなく、１５０Ｎ＊ｍよりも大きいトルクがコンポジットスプリングを介してハブからプーリへ伝達される。このトルクの値は「グリッピングトルク」と呼ばれる。
【００２８】
これらのオーバーラントルク限界とグリッピングトルクの値は車両のアクセサリベルト駆動のアプリケーションにとって適当である。例えば、クランクシャフトがアクセサリベルトシステム（ＡＢＤＳ）を駆動する場合、１００Ｎ＊ｍ以上がクランクシャフトによってプーリに時計方向に伝達される。クランクシャフトがすばやく減速し、アクセサリベルト駆動システムの慣性がプーリをクランクシャフトよりも前方にオーバーランさせるとき、エンジンの始動、停止、および変速機シフトのような著しいクランクシャフトの減速のときにオーバーラン事象が発生することを保証するためには、１０−２０Ｎ＊ｍくらいのオーバーラントルク限界値が適当である。
【００２９】
相対的に低い値のオーバーラントルク限界は、オーバーランがより頻繁に、また僅かな減速時に発生する結果となる。相対的に高い値のオーバーラントルク限界は、オーバーランが頻繁ではなく、また著しい減速時では発生しない結果となる。最適な値のオーバーラントルク限界は、ベルト駆動アクセサリの特定のエンジンおよび設計に依る。あるアプリケーションは１０Ｎ＊ｍよりも低いレベルの最適オーバーラントルク限界を示すかもしれず、他のアプリケーションは２０Ｎ＊ｍを越えた最適オーバーラントルク限界を示すかもしれない。
【００３０】
アイソレーティング・デカップラは、シャフトに連結するためのハブ１１と、ハブに軸支されるプーリ１６とを備え、プーリがベルト係合面を有し、クラッチ部２２と変化部２３と可変直径部分２４とを有するコンポジットスプリング１２を備え、コンポジットスプリングがハブとプーリの間に係合し、クラッチ部の直径がプーリとの負荷方向への摩擦係合により負荷方向に縮小可能であり、クラッチ部の摩擦係合が負荷軽減方向へプーリから徐々に解放可能であり、可変直径部分がトルク負荷に従って変化する直径を有し、ダンピング部材７５を介してハブに係合する慣性部材７４を備える。
【００３１】
本発明の１つの形態が説明されたが、当業者がここに記載された発明の精神と範囲から逸脱することなく、構成と部分の関係と方法において変形を施すことは自明である。
【図１】
2018533705.tif 000003
【図２】
2018533705.tif 000004
【図３】
2018533705.tif 000005
【図４】
2018533705.tif 000006
【図５】
2018533705.tif 000007
【図６】
2018533705.tif 000008
【図７】
2018533705.tif 000009
【図８】
2018533705.tif 000010
【図９】
2018533705.tif 000011
【国際調査報告】
2018533705.tif 000012
2018533705.tif 000013